(57)【特許請求の範囲】
【請求項１】
ロール紙を転動可能に収容するロール紙収容部と、
回動して前記ロール紙収容部を開閉する開閉カバーと、
前記ロール紙収容部に収容されたロール紙を繰り出す繰り出しローラーと、
前記繰り出しローラーの搬送方向下流側に設けられロール紙を狭持して搬送する搬送ローラーと、
前記繰り出しローラーから前記搬送ローラーまでの搬送路に配設され、前記搬送ローラーに対するロール紙の張力を一定に保ち、前記開閉カバーの回動に伴い変位するテンションローラーと、
を備え、
前記ロール紙収容部は、前記開閉カバーの回動に伴い前記開閉カバーの回動方向に回動し、
前記テンションローラーは、前記開閉カバーが開方向へ回動することに伴い、前記ロール紙収容部が回動する方向の逆向きに前記ロール紙を付勢することを特徴とするロール紙プリンター。
【請求項２】
前記テンションローラーは、ロール紙を前記ロール紙収容部に押し付ける方向に付勢する請求項１に記載のロール紙プリンター。
【請求項３】
前記搬送ローラーと前記テンションローラーとが搬送ユニットに設けられ、
前記開閉カバーの開方向への回動の開始に伴って前記搬送ユニットは前記開方向に移動し、
前記テンションローラーは前記ロール紙収容部に収容されたロール紙に接触可能な位置に変位し、
前記ロール紙収容部は回動され、
前記ロール紙は前記テンションローラーによって付勢される請求項２に記載のロール紙プリンター。
【請求項４】
前記テンションローラーは、前記開閉カバーが完全に開いた状態で前記ロール紙収容部の前記開閉カバー側の端部より上方に配置される請求項１から３の何れか一項に記載のロール紙プリンター。
【請求項５】
前記開閉カバーの回動により変位してロール紙の移動を規制する移動規制部材を備え、
前記移動規制部材は、前記開閉カバーを閉じた状態では前記ロール紙収容部の上方に配置されるとともに、前記開閉カバーを開いた状態では前記ロール紙収容部より前記開閉カバー側に配置される請求項１から４の何れか一項に記載のロール紙プリンター。
【請求項６】
ロール紙を転動可能に収容するロール紙収容部と、
回動して前記ロール紙収容部を開閉する開閉カバーと、を備えたロール紙プリンターのカバー開閉方法であって、
前記ロール紙収容部が前記開閉カバーの開く方向に回転する時に、前記ロール紙収容部に収容されたロール紙を、繰り出しローラーから搬送ローラーまでの搬送路に配設されて前記搬送ローラーに対するロール紙の張力を一定に保ち、前記開閉カバーの開閉動作に伴い変位するテンションローラーによって前記開閉カバーの開方向の逆向きに付勢することを特徴とするロール紙プリンターのカバー開閉方法。
【請求項７】
前記テンションローラーはロール紙を前記ロール紙収容部に押し付ける動作を行う請求項６に記載のロール紙プリンターのカバー開閉方法。
【発明の詳細な説明】
【技術分野】
【０００１】
本発明は、ロール紙を繰り出して印刷するロール紙プリンター及びロール紙を装着する際に開閉されるロール紙プリンターのカバー開閉方法に関する。
【背景技術】
【０００２】
例えば、ＰＯＳ（Ｐｏｉｎｔ−Ｏｆ−Ｓａｌｅ）システムなどでは、ロール状の記録紙に印刷を施すレシートプリンター等のロール紙プリンターが用いられている。
このロール紙プリンターとしては、前面に設けられた開口部と、開口部を覆うと共に開閉自在に取り付けられたフロントカバーと、を有するケースを備え、フロントカバーを開くことにより、ロール紙のセットや交換を、プリンターの前方から行うことを可能としたものがある（例えば、特許文献１，２参照）。
【先行技術文献】
【特許文献】
【０００３】
【特許文献１】特許第３３７６２３２号公報
【特許文献２】特開２００９−７８４１４号公報
【発明の概要】
【発明が解決しようとする課題】
【０００４】
ところで、ロール紙は、ケースの内部に収納されるため、フロントカバーを開いても、ロール紙の交換に手間を要していた。
この場合、フロントカバーを開くことにより、ロール紙が前方側へ移動するような構造とすれば、ロール紙の取り出しが容易となるが、フロントカバーを開いた際に、前方へ移動するロール紙が、その慣性によって転がり落ちてしまうおそれがあった。
【０００５】
本発明の目的は、ロール紙の飛び出しを防ぎつつロール紙の交換作業の容易化を図ることが可能なロール紙プリンター及びロール紙プリンターのカバー開閉方法を提供することにある。
【課題を解決するための手段】
【０００６】
上記課題を解決することのできる本発明に係るロール紙プリンターは、ロール紙を転動可能に収容するロール紙収容部と、
回動して前記ロール紙収容部を開閉する開閉カバーと、
前記ロール紙収容部に収容されたロール紙を繰り出す繰り出しローラーと、
前記繰り出しローラーの搬送方向下流側に設けられロール紙を狭持して搬送する搬送ローラーと、
前記繰り出しローラーから前記搬送ローラーまでの搬送路に配設され、前記搬送ローラーに対するロール紙の張力を一定に保ち、前記開閉カバーの回動に伴い変位するテンションローラーと、を備え、
前記ロール紙収容部は、前記開閉カバーの回動に伴い前記開閉カバーの回動方向に回動し、
前記テンションローラーは、前記開閉カバーが開方向へ回動することに伴い、前記ロール紙収容部が回動する方向の逆向きに前記ロール紙を付勢することを特徴とする。
【０００７】
この構成によれば、ロール紙収容部が開閉カバーの回動方向に回動されるので、開閉カバーを開くことにより、ロール紙収容部に対するロール紙の取り出し及び装填を容易に行うことができる。
また、開閉カバーが開方向へ回動してロール紙収容部が回動すると、ロール紙収容部に収容されているロール紙が付勢部材によってロール紙収容部の回動する方向と逆向きに付勢される。これにより、ロール紙収容部の回動に伴って慣性によって回動する方向へ飛び出そうとするロール紙の飛び出しを付勢部材によって防止することができる。
つまり、ロール紙の飛び出しを防ぎつつロール紙の交換作業の容易化を図ることができる。
【０００８】
本発明のロール紙プリンターにおいて、前記付勢部材は、ロール紙を前記ロール紙収容部に押し付ける方向に付勢することが好ましい。
この構成によれば、ロール紙収容部の回動に伴って慣性によって回動する方向へ飛び出そうとするロール紙を、付勢部材によってロール紙収容部へ押し付け、確実に保持することができる。これにより、ロール紙の飛び出しをより効果的に防止することができる。
【０００９】
本発明のロール紙プリンターにおいて、前記ロール紙収容部に収容されたロール紙を繰り出す繰り出しローラーと、
前記繰り出しローラーの搬送方向下流側に設けられシート状のロール紙を狭持して搬送する搬送ローラーと、を備え、
前記付勢部材は、前記繰り出しローラーから前記搬送ローラーまでの搬送路に、前記搬送ローラーに対するロール紙の張力を一定に保つように支持されたテンションローラーであることが好ましい。
この構成によれば、テンションローラーによってロール紙に張力を付与して搬送ローラーにかかる張力を一定に保って紙送り精度を安定させることができる。また、このテンションローラーを、ロール紙の飛び出しを防止する付勢部材としているので、別個の構造を付加することによるコストアップを招くことなく、ロール紙の飛び出し防止を実現することができる。
【００１０】
本発明のロール紙プリンターにおいて、前記搬送ローラーと前記テンションローラーが共通の搬送ユニットに設けられ、
前記開閉カバーの開方向への回動開始に伴って前記搬送ユニットは前記開方向に移動し、前記テンションローラーは前記ロール紙収容部に収容されたロール紙に接触可能な位置に変位し、前記ロール紙収容部は回動され、前記ロール紙は前記テンションローラーによって付勢されることが好ましい。
この構成によれば、開閉カバーを開くことにより、搬送ユニットを移動させ、テンションローラーによってロール紙を付勢し、ロール紙の飛び出しを防止することができる。
【００１１】
本発明のロール紙プリンターにおいて、前記テンションローラーは、前記開閉カバーが完全に開いた状態で前記ロール紙収容部の前記開閉カバー側の端部より上方に配置されることが好ましい。
この構成によれば、ロール紙が飛び出そうとしても、ロール紙収容部における開閉カバー側の端部よりも上方に配置されたテンションローラーによってロール紙の飛び出しを確実に防止することができる。
【００１２】
本発明のロール紙プリンターにおいて、前記開閉カバーの回動により変位してロール紙の移動を規制する移動規制部材を備え、
前記移動規制部材は、前記開閉カバーを閉じた状態では前記ロール紙収容部の上方に配置されるとともに、前記開閉カバーを開いた状態では前記ロール紙収容部より前記開閉カバー側の位置に配置されることが好ましい。
この構成によれば、開閉カバーを開いた際に、ロール紙が慣性によって飛び出そうとしても、ロール紙収容部よりも開閉カバー側の位置に配置される移動規制部材によってロール紙の飛び出しを防止することができる。
【００１３】
また、本発明のロール紙プリンターのカバー開閉方法は、ロール紙を転動可能に収容するロール紙収容部と、
回動して前記ロール紙収容部を開閉する開閉カバーと、を備えたロール紙プリンターのカバー開閉方法であって、
前記ロール紙収容部が前記開閉カバーの開く方向に回転する時に、前記ロール紙収容部に収容されたロール紙を、繰り出しローラーから搬送ローラーまでの搬送路に配設されて前記搬送ローラーに対するロール紙の張力を一定に保ち、前記開閉カバーの開閉動作に伴い変位するテンションローラーによって前記開閉カバーの開方向の逆向きに付勢することを特徴とする。
【００１４】
この方法によれば、開閉カバーを開方向へ回動してロール紙収容部を回動する際に、ロール紙収容部に収容されているロール紙を付勢部材によってロール紙収容部の回動する方向と逆向きに付勢するので、ロール紙収容部の回動に伴って慣性によって回動する方向へ飛び出そうとするロール紙の飛び出しを付勢部材によって確実に防止することができる。
【００１５】
本発明のロール紙プリンターのカバー開閉方法において、前記テンションローラーはロール紙を前記ロール紙収容部に押し付ける動作を行うことが好ましい。
この方法によれば、ロール紙収容部の回動に伴って慣性によって回動する方向へ飛び出そうとするロール紙を、テンションローラーによってロール紙収容部へ押し付け、確実に保持することができる。これにより、ロール紙の飛び出しをより効果的に防止することができる。
【図面の簡単な説明】
【００１６】
【図１】本発明に係るロール紙プリンターの一実施形態の外観斜視図である。
【図２】図１のプリンターからプリンターケースを取り外した状態の側面図である。
【図３】図１のプリンターのロール紙カバーを開いた状態の側断面図である。
【図４】図１のプリンターの搬送機構の概略構成を示す概略側面図である。
【図５】図１のプリンターのロール紙カバーを開く動きを説明する側断面図である。
【図６】図１のプリンターのロール紙カバーを開く動きを説明する側断面図である。
【図７】図１のプリンターのロール紙カバーを開く動きを説明する側断面図である。
【図８】図１のプリンターのロール紙カバーを開く動きを説明する側断面図である。
【図９】図１のプリンターのロール紙カバーを開く動きを説明する側断面図である。
【発明を実施するための形態】
【００１７】
以下、本発明に係るロール紙プリンター及びロール紙プリンターのカバー開閉方法の実施形態の例を、図面を参照しつつ説明する。
図１に示すように、インクジェットプリンター１は、複数種のカラーインクを使用してロール紙の繰り出された一部にカラー印刷するロール紙プリンターであり、プリンター本体を覆うプリンターケース２の前面中央には、ロール紙カバー（開閉カバー）３が開閉自在に設けられている。ロール紙カバー３の横にはインクカートリッジ挿入口８が設けられ、その内側にインクカートリッジ４が挿入されて収容されている。更に、プリンターケース２の前面には、電源スイッチ５と共にフィードスイッチ６やインジケーター７等も配置されている。
【００１８】
図２に示すように、印刷される媒体であるロール紙１１は、ロール紙収容部１２に収容されており、ロール紙カバー３を開くと、ロール紙１１を収容したロール紙収容部１２が開放され、ロール紙１１の交換が可能になる。
【００１９】
ロール紙カバー３はその下端を中心に手前側に回動可能である。ロール紙カバー３の上部には手前側に印刷後のロール紙が排出される排紙部９が設けられ、排紙部９の手前側先端には手前側に摺動可能な開閉スライダ１０が設けられる。
【００２０】
図３に示すように、開閉スライダ１０に指をかけて前方に引くと、開閉スライダ１０が前方に移動してロックが解除される。この状態で、さらに開閉スライダ１０を手前に引くと、ロール紙カバー３が下端を中心に回動して開き、ロール紙カバー３の奥に設けられたロール紙収容部１２が露出され、ロール紙収容部１２にロール紙を投入できるように構成されている。
【００２１】
図４に示すように、ロール紙収容部１２の後方上部には、ロール紙収容部１２に収容されたロール紙１１をシート状に繰り出す繰り出しローラー３４が設けられている。そして、ロール紙収容部１２及び繰り出しローラー３４から、ロール紙１１をシート状に繰り出して供給するロール紙供給装置３９が構成されている。
【００２２】
この繰り出しローラー３４の下流側には、ロール紙１１を挟持して搬送するメイン送りローラー（搬送ローラー）３６が設けられている。また、繰り出しローラー３４からメイン送りローラー３６までの搬送路には、メイン送りローラー３６に対するロール紙１１の張力を一定に保つように、装置後方へ付勢されたテンションローラー（付勢部材）３５が設けられている。
【００２３】
さらに、メイン送りローラー３６の下流側には、ロール紙１１を挟持して搬送するフロント送りローラー３７が設けられ、メイン送りローラー３６とフロント送りローラー３７との間には、プラテン２６が設けられている。また、排紙部９には、印刷されたロール紙１１を切断するカッター３８が設けられている。
【００２４】
ロール紙１１は、ロール紙収容部１２から引き出され、繰り出しローラー３４、テンションローラー３５、メイン送りローラー３６、プラテン２６、フロント送りローラー３７を経て、排紙部９から排出される。これらの搬送ローラーは、歯車またはベルトプーリー機構といった伝達機構を介して繰り出しモーターまたは紙送りモーターにより駆動される。
【００２５】
繰り出しローラー３４は、ロール紙収容部１２に収容されたロール紙１１をシート状に引き出して紙送り力を発生させている。メイン送りローラー３６は、高精度に回転制御されるもので、ロール紙１１を高精度な紙送りピッチで搬送させている。テンションローラー３５は、メイン送りローラー３６にかかる負荷を一定に保つことで紙送り精度を安定させ、かつロール紙１１の弛みを一定量保持することで高速送りを実現させている。
【００２６】
さらに、フロント送りローラー３７は、一対の円筒状のローラーからなるもので、シート状のロール紙１１を十分な挟持力によって挟持しながら排紙部９へ送り出す。これにより、例えば、排紙部９に印刷されて排紙されたロール紙１１を引き切った際にも、プラテン２６上での紙浮きが防止され、その後も紙浮きによるジャム障害なく良好に印刷が行われる。
【００２７】
プリンターケース２内のロール紙収容部１２の上方には、インクジェットヘッド（印刷ヘッド）２１を搭載したキャリッジ２２が設けられている。キャリッジ２２は、ロール紙１１の幅方向に沿って延在するガイド部材２３によって用紙幅方向に移動自在に支持されると共に、ロール紙１１の幅方向に延在する無端ベルト（図示省略）と無端ベルトを駆動するキャリッジモーターとによって、プラテン２６の上方をロール紙１１の幅方向に往復移動可能になっている。キャリッジ２２には、インクカートリッジにつながる可撓性を有するインクチューブ２７が接続されており、このインクチューブ２７を介してインクカートリッジ４からキャリッジ２２のインクジェットヘッド２１へインクが供給される。
【００２８】
インクジェットプリンター１の幅方向の一方側は、往復移動するキャリッジ２２の待機位置（ホームポジション）となっている。この待機位置の下方には、キャリッジ２２の下面に露出するインクジェットヘッド２１の各インクノズル内のインクを吸引するインク吸引機構（図示省略）が設けられている。
【００２９】
そして、上記のインクジェットプリンター１では、往復移動するキャリッジ２２のインクジェットヘッド２１からロール紙１１の繰り出された一部に対してインクを吐出して印刷処理を行う。
【００３０】
図２及び図３に示すように、ロール紙収容部１２は、樹脂製のロール紙ホルダー４０を有している。このロール紙ホルダー４０は、側面視略円弧状に形成された底板４１を有しており、底板４１にロール紙１１が載置される。これによりロール紙１１は、その回転軸が横向きになる向きで転動可能にロール紙収容部１２に収容される。
このロール紙収容部１２は、ケース２内のブラケット４２に対して連結ピン４３によって回動可能に連結されている。
【００３１】
また、ロール紙収容部１２の側部には、リンク機構が設けられている。このリンク機構は、第１リンク部材５１及び第２リンク部材５２が、ピン節点５３を介して直列に連結された前方複合リンクＡと、第３リンク部材６１及び第４リンク部材６２が、ピン節点６３を介して直列に連結された後方複合リンクＢとを備えている。前方複合リンクＡは、第１リンク部材５１からなる第１リンクＡｕと、第２リンク部材５２からなる第２リンクＡｌとを有しており、後方複合リンクＢは、第３リンク部材６１からなる第３リンクＢｕと、第４リンク部材６２からなる第４リンクＢｌとを有している。
【００３２】
また、これらの前方複合リンクＡ及び後方複合リンクＢには、ピン節点５３，６３に連結リンク部材（図示省略）が架け渡されており、これにより、前方複合リンクＡ及び後方複合リンクＢが連結リンク部材からなる連結リンクＣを介して互いに連結されている。
そして、前方複合リンクＡ、後方複合リンクＢ及び連結リンクＣからリンク機構が構成されている。
【００３３】
前方複合リンクＡ及び後方複合リンクＢの下端は、それぞれインクジェットプリンター１の底部に、連結ピン８１，８２によって回動可能に連結されている。また、前方複合リンクＡ及び後方複合リンクＢの上端は、先端に開閉スライダ１０が設けられたプラテンユニット（搬送ユニット）８５に、連結ピン８３，８４によって回動可能に連結されている。このプラテンユニット８５は、プラテン２６、テンションローラー３５、メイン送りローラー３６及びフロント送りローラー３７の下方側のローラー等が設けられたユニットである。
【００３４】
このプラテンユニット８５には、ロール紙収容部１２側に、複数のガードピン（移動規制部材）８６が設けられており、これらのガードピン８６によってロール紙１１のプラテンユニット８５側への移動が規制され、ロール紙１１がプラテンユニット８５の機構部分へ干渉することによる不具合が防止されている。
【００３５】
ロール紙カバー３は、プラテンユニット８２に対して回動可能に連結されたカバー部３ａと、インクジェットプリンター１の底部に対して回動可能に連結されたフレーム部３ｂとを有している。これらのカバー部３ａとフレーム部３ｂとは、互いにスライド可能に連結されており、これにより、ロール紙カバー３は、伸縮可能とされている。
【００３６】
次に、ロール紙収容部１２にロール紙１１が収容された状態において、ロール紙カバー３を開く場合について説明する。
図２に示すように、ロール紙カバー３が閉じた状態において、開閉スライダ１０に指をかけて前方に引くと、開閉スライダ１０が前方に移動してロックが解除される。この状態で、さらに開閉スライダ１０を手前に引くと、図５に示すように、ロール紙カバー３が下端を中心に回動して開き、プラテンユニット８５が前方へ引き出される。
【００３７】
このとき、プラテンユニット８５は、６節リンク状態のリンク機構によって姿勢が水平に保持された状態で直線的に前方へ移動するので、インクジェットヘッド２１またはロール紙１１に干渉することなく、前方へ引き出される。
【００３８】
さらに、開閉スライダ１０を手前に引くと、図６に示すように、プラテンユニット８５が直線的に前方へ引き出され、リンク機構の前方複合リンクＡの第１リンクＡｕと第２リンクＡｌとが直線状となり、同様に、後方複合リンクＢの第３リンクＢｕと第４リンクＢｌとが直線状となる。これにより、リンク機構は、前方複合リンクＡと後方複合リンクＢとからなる４節リンク状態となり、その後は、直線状の前方複合リンクＡ及び後方複合リンクＢからなる４節リンク状態の平行リンク機構が構成され、プラテンユニット８５が水平を維持しながら円弧状に移動することとなる。また、ロール紙カバー３は、カバー部３ａとフレーム部３ｂとが互いにスライドすることにより伸ばされる。
【００３９】
その後、リンク機構は、前方複合リンクＡ及び後方複合リンクＢが直線的に伸びきった４節リンク状態（最大のリンク長の状態）で前方に旋回するので、開閉スライダ１０は、曲率半径の大きな円弧状の移動軌跡に沿って移動する。すると、図７に示すように、プラテンユニット８５の後方において突出したテンションローラー３５が、ロール紙１１に接触する。
【００４０】
この状態から、さらにプラテンユニット８５が移動すると、図８に示すように、ロール紙収容部１２が、連結ピン４３によって連結されたブラケット４２との連結箇所を中心としてプラテンユニット８５とともに回動される。
【００４１】
また、このとき、ロール紙収容部１２に保持されているロール紙１１に対して当接されたテンションローラー３５がプラテンユニット８５側へ向かって押し込まれる。これにより、ロール紙１１は、テンションローラー３５からの反力を受け、このテンションローラー３５と、ロール紙収容部１２の後端１２ａとによって挟み込まれた状態でロール紙収容部１２内に保持される。
【００４２】
なお、このとき、ロール紙１１は、ロール紙収容部１２内において回転可能に保持され、しかも、テンションローラー３５自体も回転可能なローラーである。したがって、ロール紙１１とテンションローラー３５とが接触したとしても、これらのロール紙１１とテンションローラー３５とが互いに回転することとなり、プラテンユニット８５の移動時の負荷となることなく、ロール紙カバー３の開動作が円滑に行われる。
【００４３】
さらに、プラテンユニット８５が移動すると、図９に示すように、テンションローラー３５とロール紙収容部１２の後端１２ａとが、ロール紙１１を挟持した状態でロール紙収容部１２も回動し、ロール紙収容部１２の後端１２ａがテンションローラー３５よりも上方に配置される。そして、テンションローラー３５は、ロール紙１１によってさらにプラテンユニット８５側へ押し込まれる。
【００４４】
また、この状態では、ロール紙収容部１２がブラケット４２との連結箇所を中心として回動することより、ロール紙１１が持ち上げられながらインクジェットプリンター１の前方側へ移動される。したがって、ロール紙１１には、インクジェットプリンター１の前方側への移動の慣性によってプラテンユニット８５を乗り越えて転出する力が生じる。
【００４５】
しかし、この状態において、テンションローラー３５は、ロール紙収容部１２の底部よりも高い位置に配置されているため、ロール紙１１は、テンションローラー３５によってプラテンユニット８５側への飛び出しが防止される。
【００４６】
また、テンションローラー３５が回転可能であるので、ロール紙１１が慣性によってテンションローラー３５を乗り越えようとすると、テンションローラー３５も回転することとなり、ロール紙１１の慣性力がテンションローラー３５の回転によって相殺され、このことからも、ロール紙１１の飛び出しが防止される。
【００４７】
図３に示すように、ロール紙カバー３が完全に開かれると、ロール紙収容部１２がブラケット４２との連結箇所を中心として回動することより、ロール紙１１がインクジェットプリンター１の前方側へさらに移動される。また、プラテンユニット８５が最下部に配置され、テンションローラー３５もロール紙１１の下方側に配置されるとともに引き込んだ状態に保持され、ロール紙収容部１２の前方側が大きく開かれる。これにより、ロール紙収容部１２からのロール紙１１の取り出しを容易に行うことができ、また、ロール紙収容部１２へのロール紙１１の装填も容易に行うことができる。
【００４８】
また、この状態では、テンションローラー３５とロール紙収容部１２の後端１２ａとによるロール紙１１の挟持が解除される。また、この状態において、前述と同様に、インクジェットプリンター１の前方側への移動の慣性によってロール紙１１が転出しようとしても、テンションローラー３５が、ロール紙収容部１２の底部よりも高い位置に配置され、また、テンションローラー３５が回転してロール紙１１の慣性力を相殺することとなる。よって、ロール紙１１の飛び出しが防止される。
【００４９】
また、この時点において、ガードピン８６のうちの一つが、プラテンユニット８５とテンションローラー３５との間で上方へ突出した状態に配置される。これにより、このガードピン８６によってもロール紙１１の転出が防止される。
【００５０】
このように、上記実施形態に係るロール紙プリンター及びロール紙プリンターのカバー開閉方法によれば、ロール紙収容部１２のロール紙収容部１２がロール紙カバー３の回動方向に回動されるので、ロール紙カバー３を開くことにより、ロール紙収容部１２に対するロール紙１１の取り出し及び装填を容易に行うことができる。
【００５１】
また、ロール紙カバー３が開方向へ回動してロール紙収容部１２が回動すると、ロール紙収容部１２に収容されているロール紙１１がテンションローラー３５によってロール紙収容部１２のロール紙ホルダー４０の回動する方向と逆向きに付勢される。これにより、ロール紙収容部１２の回動に伴って慣性によって回動する方向へ飛び出そうとするロール紙１１の飛び出しをテンションローラー３５によって防止することができる。
【００５２】
インクジェットプリンター１の外形高さを抑えるためには、ロール紙カバー３を閉じた状態において、製品外形に対してロール紙１１の位置を可能な限り低くする必要がある。一方、ロール紙１１のセット性を向上させるためには、ロール紙カバー３の開時に、プラテンユニット８５の上面位置近くまでロール紙１１を持ち上げることが望まれる。
【００５３】
特に、近年では、印刷高速化のためプラテンユニット８５に複雑な機構を搭載することが要求されているため、プラテンユニット８５の厚みが厚くなる傾向があり、よって、ロール紙カバー３を開いた状態におけるロール紙１１の位置をより高くすることが望まれている。しかし、このように、ロール紙カバー３を開いた際に、ロール紙１１を高い位置に配置させると、慣性力によるロール紙１１の飛び出しが容易に生じてしまう。
【００５４】
このような場合であっても、本実施形態のインクジェットプリンター１によれば、ロール紙１１の飛び出しをテンションローラー３５によって確実に防止することができる。つまり、ロール紙１１の飛び出しを防ぎつつロール紙１１の交換作業の容易化、装置の小型化を図ることができる。
【００５５】
特に、ロール紙収容部１２の回動に伴って、慣性によって回動する方向へ飛び出そうとするロール紙１１を、テンションローラー３５によってロール紙収容部１２の後端１２ａへ押し付け、挟持した状態で確実に保持することができ、ロール紙１１の飛び出しをより効果的に防止することができる。
【００５６】
また、ロール紙１１に張力を付与してメイン送りローラー３６にかかる張力を一定に保って紙送り精度を安定させるテンションローラー３５を、ロール紙１１の飛び出しを防止する付勢部材としているので、別個の構造を付加することによるコストアップを招くことなく、ロール紙１１の飛び出し防止を実現することができる。
【００５７】
また、ロール紙カバー３を完全に開いた状態では、テンションローラー３５が、ロール紙収容部１２におけるロール紙カバー３側の端部より上方に配置されるので、テンションローラー３５を乗り越えなければロール紙１１が飛び出すことはないこととなる。よって、ロール紙カバー３の完全開状態においても、ロール紙１１の飛び出しをテンションローラー３５によって確実に防止することができる。
【００５８】
しかも、ロール紙カバー３を開いた際に、ロール紙１１が慣性によって飛び出そうとしても、ロール紙収容部１２よりもロール紙カバー３側の位置に配置されるガードピン８６によってロール紙１１の飛び出しを防止することができる。
【００５９】
また、ロール紙カバー３を開いた状態では、テンションローラー３５がロール紙収容部１２におけるロール紙カバー３側の端部より上方に配置され、しかも、ロール紙収容部１２よりもロール紙カバー３側の位置にガードピン８６が配置されるので、ロール紙１１が小径であっても、その飛び出しを確実に防止することができる。
【００６０】
前述の実施の形態では、被印刷体である媒体として、フィルム、布、金属薄板等を用いてもよい。
【００６１】
前述の実施形態に係るインクジェットプリンターに、コンピューター本体、ＣＲＴ等の表示装置、入力装置、フレキシブルディスクドライブ装置、及びＣＤ−ＲＯＭドライブ装置がそれぞれ有する機能又は機構の一部を持たせてもよい。例えば、プリンターが、画像処理を行う画像処理部、各種の表示を行う表示部、及び、デジタルカメラ等により撮影された画像データーを記録した記録メディアを着脱するための記録メディア着脱部を有する構成としてもよい。
【００６２】
本実施形態に係るプリンター、コンピューター本体、ＣＲＴ等の表示装置、マウスやキーボード等の入力装置、フレキシブルドライブ装置、及びＣＤ−ＲＯＭドライブ装置を備えたコンピューターシステムとすれば、システム全体として従来システムよりも優れたシステムとなる。
【００６３】
上記各実施の形態では、印刷装置としてカラーインクジェットプリンターを用いたが、ロール紙に対して印刷処理できる印刷装置であれば、これに限られることなく、例えば、モノクロインクジェットプリンター、レーザプリンター、サーマルプリンター、ファクシミリ等に適用しても良い。
【符号の説明】
【００６４】
１…インクジェットプリンター（ロール紙プリンター）、３…ロール紙カバー（開閉カバー）、１１…ロール紙、１２…ロール紙収容部、３４…繰り出しローラー、３５…テンションローラー（付勢部材）、３６…メイン送りローラー（搬送ローラー）、８５…プラテンユニット（搬送ユニット）、８６…ガードピン（移動規制部材）
【図１】
0005621294.tif 000002
【図２】
0005621294.tif 000003
【図３】
0005621294.tif 000004
【図４】
0005621294.tif 000005
【図５】
0005621294.tif 000006
【図６】
0005621294.tif 000007
【図７】
0005621294.tif 000008
【図８】
0005621294.tif 000009
【図９】
0005621294.tif 000010